(57)【特許請求の範囲】
【請求項１】
湾曲した用紙搬送路を有しており、前記用紙搬送路に送り込まれた用紙を搬送する用紙搬送装置であって、
巾の狭い複数の第１ローラ部材を有しており、前記用紙搬送路上の湾曲路における用紙の搬送に使用される大径搬送ローラと、
樹脂製で各第１ローラ部材とほぼ同径の筒状とされた複数のガイド部材を有しており、各ガイド部材の間に設けられたローラ用スペースに各第１ローラ部材を配置可能な筒状ガイドと、
巾の狭い複数の第２ローラ部材を有しており、前記大径搬送ローラとの間で前記用紙をニップするピンチローラと、
前記筒状ガイドと一体とされており、前記第１ローラ部材の間に突入して配置される用紙ガイド用のリブと、
を備え、
前記複数の第２ローラ部材のそれぞれは、対応する第１ローラ部材と対向して配置されていることを特徴とする用紙搬送装置。
【請求項２】
前記大径搬送ローラを支持する駆動軸と、
前記駆動軸に支持される補助ローラと、
をさらに備え、
前記大径搬送ローラは、小サイズの原稿に対応させるために、前記駆動軸の軸方向において中央よりも一方側に支持され、
前記補助ローラは、大サイズの原稿を搬送する際に前記大径搬送ローラによる搬送を補助するために、前記駆動軸の軸方向において中央より他方側に支持されていることを特徴とする請求項１に記載の用紙搬送装置。
【発明の詳細な説明】
【０００１】
【発明の属する技術分野】
本発明は、湾曲搬送路を介して用紙を案内し、読取部に向けて用紙を送る用紙搬送装置に関し、特に、湾曲部で用紙に搬送作用を付与する主ローラでの用紙の搬送性能を向上させた用紙搬送装置に関する。
【０００２】
【従来の技術】
画像形成装置等においては、供給トレイに載置している用紙を１枚ずつ分離して給紙し、搬送路に設けた搬送ローラ装置により、読取部や印字部等の処理部に向けて搬送する手段が用いられている。前記用紙をトレイから送り出すために、トレイに対応させた位置にピックアップローラを配置し、前記ピックアップローラにより取り出された用紙を用紙さばき装置により１枚ずつ分離し、画像読取装置の読取部に向けて送り込むように構成している。前記用紙を読取部に向けて１枚ずつ供給するためには、ピックアップローラの下流部に用紙さばき装置を配置し、用紙送り方向とは反対側に回転されるリタードローラと、給紙方向に回転されるセパレートローラとを対向させて配置している。
【０００３】
前記画像読取装置をフラツトベッドスキャナー機構（ＦＢＳ）と組み合わせて、画像形成装置の上部に配置する場合等には、前記画像読取装置の用紙搬送路を横向きの略Ｕ字状に形成し、用紙を非常に小さい半径で湾曲させて送るように、装置を小型化して設けることが必要となる。また、前記Ｕ字状の搬送路では、大径搬送ローラとほぼ同径の湾曲されたガイドを配置し、対向して配置する外側ガイド板との間で用紙の案内と搬送とを行うようにして、湾曲路内での用紙搬送作用を良好な状態で行い得るようにしている。
【０００４】
前記用紙搬送装置の湾曲路に配置する大径搬送ローラは、１つまたは複数個のローラを所定の間隔を介して串刺し状に配置しているものであり、前記ローラの間に湾曲ガイドをそれぞれ配置することが必要とされる。そこで、図７に示すように、湾曲路に配置する大径搬送ローラ２０Ａを、駆動軸２２に支持させる巾の広いローラで構成し、対向する巾の広いピンチローラ２４Ａを軸２４Ｂに設けて、両ローラ２０Ａ、２４Ａの間で用紙をニップするように構成することが考えられる。そして、前述したように、巾の広いローラ２０Ａ、２４Ａを対向させて配置する用紙搬送装置においては、そのローラの構成を簡素化することが可能となり、用紙搬送装置に組み立てる作業も容易に行うことができるという、組立作業上の利点が発揮されると考えられる。
【０００５】
【発明が解決しようとする課題】
前記図７に示すような巾の広いローラを用いる場合に、駆動軸２２に支持される大径搬送ローラ２０Ａは、剛性の大きな軸に支持されるものであるから、ピンチローラ２４Ａとの間に大きな値のニップ圧力を設定したとしても、ローラ自体が変形することはない。ところが、軸２４Ｂに支持されるピンチローラ２４Ａは、支軸２４Ｂが比較的剛性の小さいものであることと、ローラ自体の構造も比較的薄肉のものとして構成されているために、大きなニップ圧力を設定しようとすると、容易に変形するという問題がある。また、前記ピンチローラ２４Ａは樹脂成型品であるために、ローラ幅を広くすると成型上鼓形状や太鼓状となりやすいという問題があり、その対策として、巾の狭い複数のローラ部材に分割することが考えられる。前記巾の広いピンチローラ２４Ａを大径搬送ローラ２０Ａとともに分割したローラ部材としてするのは、前記ピンチローラ２４Ａだけを分割して大径搬送ローラ２０Ａを巾広のままとすると、分割したピンチローラの単位体の間に形成される隙間に用紙が入り込むことがあり、原稿にしわが発生しやすいという問題に対処させるためである。
【０００６】
本発明は、用紙のニップ部にしわ等が発生することを防止でき、用紙搬送路の湾曲部での用紙搬送と案内の作用を良好に行わせ得る用紙搬送装置を提供することを目的としている。
【０００７】
【課題を解決するための手段】
本発明は、湾曲した用紙搬送路を有しており、前記用紙搬送路に送り込まれた用紙を搬送する用紙搬送装置に関する。本発明の請求項１の発明は、湾曲した用紙搬送路を有しており、前記用紙搬送路に送り込まれた用紙を搬送する用紙搬送装置であって、巾の狭い複数の第１ローラ部材を有しており、前記用紙搬送路上の湾曲路における用紙の搬送に使用される大径搬送ローラと、樹脂製で各第１ローラ部材とほぼ同径の筒状とされた複数のガイド部材を有しており、各ガイド部材の間に設けられたローラ用スペースに各第１ローラ部材を配置可能な筒状ガイドと、巾の狭い複数の第２ローラ部材を有しており、前記大径搬送ローラとの間で前記用紙をニップするピンチローラと、前記筒状ガイドと一体とされており、前記第１ローラ部材の間に突入して配置される用紙ガイド用のリブと、を備え、前記複数の第２ローラ部材のそれぞれは、対応する第１ローラ部材と対向して配置されていることを特徴とする。これにより、用紙にしわ等が発生することを防止しながら搬送することができる。
【０００８】
また、請求項１の発明は、ピンチローラを分割して小幅のものとすることにより、巾の広いローラを構成する場合のように、鼓状や太鼓状となることを防止でき、搬送作用を良好に発揮できる。さらに、請求項１の発明は、用紙の案内を確実に行い得るとともに、補助部品の点数が増加することがない。
請求項２の発明は、前記大径搬送ローラを支持する駆動軸と、前記駆動軸に支持される補助ローラと、をさらに備え、前記大径搬送ローラは、小サイズの原稿に対応させるために、前記駆動軸の軸方向において中央よりも一方側に支持され、前記補助ローラは、大サイズの原稿を搬送する際に前記大径搬送ローラによる搬送を補助するために、前記駆動軸の軸方向において中央より他方側に支持されていることを特徴とする。
【０００９】
【発明の実施の形態】
図示される例にしたがって、本発明の用紙搬送装置を設けた用紙搬送装置の構成を説明する。図１に示す例は、ファクシミリ装置や画像形成装置と組み合わせて使用し、原稿の画像の読取りに用いられる自動原稿搬送装置（ＡＤＦ）１の構成を説明している。前記自動原稿搬送装置１においては、横向きの略Ｕ字状に構成した搬送路を通して用紙の搬送を行うもので、前記搬送路としては、挿入口１４ａからの搬送路１４と、湾曲路１９、および、排出トレイ７２に接続される排出路２５からなり、湾曲路１９の下部に配置しているプラテン２９の位置で、読取り装置により原稿の画像の読取りを行うように構成している。前記自動原稿搬送装置１においては、画像形成装置の上部に配置する基部フレーム２に対して、中間フレーム３０と上部フレーム３とをそれぞれ組み合わせて設けており、前記上部フレーム３は支軸４を中心に揺動可能に設け、中間フレーム３０を搬送ローラ装置１５の駆動ローラ１７の軸１８を中心に揺動可能に設けている。
【００１０】
前記図１に示す例において、用紙搬送路内で用紙の搬送を行うために、用紙挿入口１４ａに位置させるアーム６に支持されるピックアップローラ５と、用紙さばき装置１０、搬送ローラ装置１５、大径搬送ローラ２０と複数のピンチローラ２４、２３ａおよび、排出ローラ装置２６とを配置している。前記各ローラのうち、大径搬送ローラ２０は、以下に説明する実施例での主搬送ローラとしての作用を行うもので、湾曲路１９における用紙搬送の作用を負担する。また、前記上部フレーム３には、トレイから用紙を取り込むためのピックアップローラ５と、用紙さばき装置１０のセパレートローラ１１、搬送ローラ装置１５のピンチローラ１６と、大径搬送ローラ（主搬送ローラ）２０に対するピンチローラ２４を設けている。前記２つのピンチローラ１６、２４は、上部フレーム３に配置されるステイ７に支持されるローラ支持フレーム８に対して、図示を省略した付勢用のスプリングと支持アーム部材とを介して装着され、対応する駆動ローラに対して一定の押圧力で押圧される。さらに、前記ローラ支持フレーム８には、湾曲路１９の大径ローラ２０に対向するガイド板９を配置して、前記湾曲路１９における用紙の案内を行わせる。
【００１１】
前記中間フレーム３０には、原稿トレイ７１に接続される用紙挿入口１４ａの下ガイド部材としての上カバー３５と、用紙さばき装置１０のリタードローラ１２、搬送ローラ装置１５の駆動ローラ１７および、排出ローラ装置２６の駆動ローラ２８とを設けている。また、前記基部フレーム２には、用紙搬送路６の湾曲部１９で搬送作用を行うための大径搬送ローラ２０と、ピンチローラ２３ａおよび排出ローラ装置２６のピンチローラ２７とを配置し、前記基部フレーム２には読取部と排出側の搬送路のガイド板部材を配置している。そして、前述したような構成を有する装置では、用紙搬送路内での用紙のジャム処理や搬送ローラ装置１５のニップ部のニップ圧力の調整、その他のメンテナンスを行う際に、上部のフレームから順次開放することにより用紙搬送路を開放したり、各構成部材を露出させるようにして、作業を行うことができるようにする。
【００１２】
前記自動原稿搬送装置１においては、用紙搬送路に沿って用紙の搬送を行う際には、用紙挿入口１４ａに接続されるトレイに対応させて配置するピックアップローラ５により用紙を取り込んで、搬送路１４に向けて送り込むようにする。そして、用紙さばき装置１０のセパレートローラ１１とリタードローラ１２との間で用紙に対するさばき作用を付与し、１枚の用紙のみを搬送ローラ装置１５に向けて送り込む。前記搬送ローラ装置１５により搬送される用紙は、用紙搬送路の湾曲路１９で大径搬送ローラ２０とピンチローラ２４の間でニップされて、プラテン２９の読取部を通過し、ピンチローラ２３ａとのニップ部を通って、排出路２５の端部に配置する排出ローラ装置２６により、排出トレイ７２に向けて送り出される。
【００１３】
また、前記用紙さばき装置１０のリタードローラ１２に対しては、セパレートローラ１１との間でニップ圧力の調整を行うために、押圧力調整機構４５を配置しており、給紙装置における用紙さばき作用の実施状態に応じて、両ローラ間でのニップ圧力を調整できるようにしている。前記押圧力調整機構４５においては、排出ローラ装置２６のピンチローラ２８の軸を支点とする調整用アーム４６の一端部をリタードローラ１２の軸の下面に接触させ、前記調整用アーム４６の他端部に配置するスプリング４７の押圧力を調節することで、リタードローラ１２の軸を下面から押し上げる力を調整できるように構成している。
【００１４】
前記自動原稿搬送装置１の中間フレーム３０においては、板金で構成したフレーム枠体３１と、その上部に配置するガイド板としての上カバー３５とを組み合わせて構成し、搬送ローラ装置１５の駆動ローラ１７の軸１８を中心にして揺動可能に設けている。前記中間フレーム３０に配置するリタードローラ１２と、排出ローラ装置２６の駆動ローラ２８に対する駆動を行うために、搬送ローラ装置１５の駆動軸１８から駆動伝達するギヤ伝導機構（図示を省略）を設けている。そして、用紙さばき作用を行う際に、リタードローラ１２の軸に対してフィードローラ１１による用紙搬送方向に対して、リタードローラ１２を逆方向に搬送するように回転させる。
【００１５】
前記搬送ローラ装置１５を含む搬送路１４の下流部には、大径搬送ローラ２０とガイド板９により区画された湾曲路１９が配置されている。前記搬送ローラ装置１５のニップ部から排出される用紙を湾曲路１９に向けて案内するために、用紙案内手段としてガイド部材４０とガイドフィルム４１を設けて、搬送ローラ装置１５から送り出される用紙を、湾曲路に向けて円滑に案内させる。前記用紙案内手段としてのガイド部材４０は、搬送ローラ装置１５の駆動ローラ１７の軸１８に下向きコの字状の支持部材４３を取付けており、前記支持部材４３にガイド部材４０を支持させている。
【００１６】
前記湾曲路１９はガイド板９と大径搬送ローラ２０とにより形成されるが、前記大径搬送ローラ２１は、図２および図４、５に示すように構成した筒状ガイド５０に組み合わせて設けられる。前記筒状ガイド５０は、図２の平面図に示すように、複数のガイド部材５１、５１ａ……を端部の連結軸５６による接続部を介して一体化したユニットとして構成している。そして、前記各ガイド部材の間に設けたローラ用スペース５２、５２ａ……には、ゴムローラ２１ａとフリーローラ２１とをそれぞれ配置しているが、例えば、搬送可能な用紙の最大のサイズがＡ３サイズの用紙である場合には、Ａ４サイズの用紙の縦送りの中央部に対応させて３つのゴムローラにより構成される大径搬送ローラ（主搬送ローラ）２０を配置し、Ａ３サイズの用紙に対しては補助的なゴムローラ２１ａを所定の間隔を介して配置し、他の部分に対しては任意の位置にフリーローラ２１を配置している。なお、前記大径搬送ローラ（主搬送ローラ）２０の構成は、以下の図３にもとづいて後で説明する。
【００１７】
前記筒状ガイド５０において、複数のガイド部材５１……は、金属製の連結軸５６とともにプラスチック材料を用いて一体成型されるが、前記連結軸５６を型に位置決めするために、隙間５３……を所定の間隔で配置するが、この部分は特別の作用を発揮するものではない。また、筒状ガイド５０の両端部にはねじ孔５８ａを設けた固定用ブラケット５８、５８を配置しており、前記固定用ブラケット５８を本体フレーム（図示を省略）の支持部に対して位置決めし、ねじ孔５８ａを介してねじ固定することで、大径搬送ローラ２０とガイド板９に対応させた筒状ガイド５０の位置決めが行われる。前記筒状ガイド５０の表面の用紙が摺動する面には、所定の間隔でリブ５４が形成されており、用紙との摩擦を軽減させるようにする。なお、前記ガイド部材５１……を串刺し状に支持する連結軸５６の両端部は、本体フレームに対して固定保持させる必要はないが、特に固定する必要がある場合には、前記連結軸５６を側部に延長して本体フレームに設けた係止部に固定しても良い。
【００１８】
図３に示す例は、搬送路の湾曲部に配置する主搬送ローラ（大径搬送ローラ）２０の構成を示すもので、前記大径搬送ローラ２０は、図２に示されるように、Ａ４サイズの用紙の縦送りに対応させて、用紙の巾方向の略中央部に位置するように配置され、補助ローラ２１、２１ａとともに、湾曲路１９での用紙搬送作用を行う。前記大径搬送ローラ２０は、３つの巾の狭いローラ部材２０ａ〜２０ｃを軸２２に対して平行に並べてユニット化されたものとして構成しているもので、それ等のローラ部材の間には、図１にも示されるように、筒状ガイドの用紙排出側からリブ５５、５５ａを突出させて設け、排出路２５に向けて用紙を案内させるように構成している。また、前記大径搬送ローラ２０に対して配置するピンチローラ２４においても、前記大径搬送ローラのローラ部材２０ａ〜２０ｃに対応させて、巾の狭いローラ部材２４ａ〜２４ｃをそれぞれ軸２４Ｂに串刺し状に支持させてユニット化したものとして設けている。
【００１９】
前述したように、大径搬送ローラ２０のローラ部材２０ａ〜２０ｃと、対向するピンチローラのローラ部材２４ａ〜２４ｃとの各々のユニット化されたものが、各々用紙に対するニップ部を形成する。前述したように、巾の狭いピンチローラのローラ部材２４ａ〜２４ｃを各々樹脂成型品として構成していることで、前記ローラ部材２４ａ〜２４ｃの成型に際して、鼓状や太鼓状に形成されるという問題が生じることがなく、巾の狭い大径搬送ローラのローラ部材２０ａ〜２０ｃの各々に対応させて、用紙をニップしながら搬送することができる。そして、前記大径搬送ローラ２０とピンチローラ２４との間でニップしながら搬送する際の用紙の搬送状態を良好に維持できる。
【００２０】
前記大径搬送ローラ２０と組み合わせて設けられる筒状ガイド５０は、図４の側面図として示すように構成されるもので、大径搬送ローラ２０の駆動軸２２に対して、筒状ガイド５０の軸支部５９を支持させて位置決めしている。前記駆動軸２２に対する軸支部５９を係合させることと、前記固定用ブラケット５８を介してねじ固定し、筒状ガイド５０の表面を大径搬送ローラ２０の搬送面に位置決めし、用紙搬送に際してのガイド作用を行うことができるように構成している。また、前記図４に示すように、筒状ガイド５０を構成する複数のガイド部材５１……を接続するための連結軸５６は、大径搬送ローラ２０の配置位置から外れて、用紙搬送路の邪魔にならない位置を選択して配置するものであることから、湾曲路１９と排出路２５の接続部付近に設けることが良い。そして、前記連結軸５６に対応する接続部を図示するような湾曲形状に形成することで、湾曲路から排出路に向けて用紙の案内作用を良好に行わせることができる。
【００２１】
図５に示す例は、連結軸５６にガイド部材５１、５１ａ……を固定保持させるために、連結軸５６の所定の位置の表面に滑り止め加工を施す状態を示している。前記連結軸５６に設ける滑り止め５７としては、例えば、ローレット加工を軸に対して施して設けることができるが、その他の任意の形状の凹凸を設けることで、連結軸５６とガイド部材５１、５１ａ……を一体に固定し、各ガイド部材が軸に対して不測に回転したりすることがないように固定保持できる。また、前記連結軸５６を成形用の型に保持させて、プラスチック材料を射出成形する際には、前記図２に示したように、成型後に形成される隙間５３……の部分を、成型用の型の突部等に支持させて成型作業を行うことができる。
【００２２】
前記連結軸５６に対して各ガイド部材を一体に保持させ、両端部に固定用ブラケット５８を設けた筒状ガイド５０は、図１に示すように、湾曲路１９での大径搬送ローラ２０と組み合わせて配置し、内側ガイド板として構成することができる。そして、前記筒状ガイド５０の表面に突出形成しているリブ５４に用紙を摺動させながら、大径搬送ローラ２０および補助ローラ２１、２１ａにより搬送作用が付与され、プラテン２９による読取部に用紙を定速で通過させて、画像の読取りの作用に対処させることができる。また、前記大径搬送ローラが分割されたものであることから、前記大径搬送ローラ２０のローラ部材２０ａ〜２０ｃの間にリブ５５……が突入されて、前記リブ５５により読み取った原稿を排出路２５に向けて送り出すことができる。
【００２３】
図６に示す例は、画像形成装置と一体に設けた読取装置６０の構成を示すもので、走査部フレーム６１には走査装置６３を設けている。前記走査装置６３は、従来より一般に知られている複写機等の画像読取装置に用いられている装置と同様に、ランプ６４ａと１つのミラーｍ１を設けたフルレートキャリッジ６４と、２つの対向するミラーｍ２、ｍ３を配置するハーフレートキャリッジ６５とを組み合わせて設けている。そして、原稿の読取り情報をレンズ６８を介してＣＣＤ６９に伝達し、光信号を電気信号に変換して画像形成装置の画像情報処理部に伝達するように構成している。前記走査装置においては、フルレートキャリッジ６４とハーフレートキャリッジ６５とを駆動するために、径が２：１に設定された駆動プーリ６６、６６ａを同軸に配置し、各々の駆動プーリに巻き掛けたワイヤ６７、６７ａを介して、２つのキャリッジを各々連動させて移動させる機構を設けている。
【００２４】
前記フレーム６１の上部には、ブックものの原稿を載置し、ＦＢＳ（フラットベッドスキャナー）としての動作に対応させるプラテン６２と、ＡＤＦ（自動原稿搬送装置）に対応させて、原稿搬送部の下部に配置するプラテン２９とを設けている。前記プラテン６２に対しては、上部開閉フレーム７０を開いて原稿をセットし、前記フレーム７０を閉じることにより、プラテンカバー７３がプラテン６２の上面に原稿の画像面を押圧させて、セットした原稿の走査を行う。そして、前記プラテン６２にセットした原稿に対しては、図示を省略したセンサの検知情報に応じて、走査装置６３のフルレートキャリッジ６４が原稿の走査方向の長さだけ往復移動し、ハーフレートキャリッジ６５が前記フルレートキャリッジ６４の半分の速度で移動しながら画像情報の読取りを行い、ＣＣＤ６９から画像信号を出力する。また、原稿トレイ７１を用いてシートものの原稿の走査を行う際には、プラテン２９の部分に走査装置を固定する状態で、ＡＤＦとしての原稿搬送部に設けた搬送路を通して原稿を搬送しながら画像の読取りの動作を行う。
【００２５】
前記読取装置６０を用いて、原稿トレイ７１にセットした原稿の走査を行う際には、原稿を原稿トレイ７１にセットしたことを、図示を省略した検知手段の検知信号により制御装置を作動させること、またはコントロールパネルに原稿搬送部を用いた走査を行う指令を入力することにより行う。そして、前記読取り指令の信号に応じて、走査装置６３のフルレートキャリッジ６４をプラテン２９に対応する位置に停止させ、ハーフレートキャリッジ６５を走査部フレーム６３の左側の端部にまで移動させ、原稿トレイ７１から原稿を１枚ずつＵ型搬送路内へ搬送し、プラテン２９の部分で原稿の画像の読取りを行う。したがって、前記走査部フレーム６１に配置する走査装置においては、２つのプラテン６２、２９に対応させて走査装置をセットし、任意の原稿に対する読取りの動作を行うことができ、ファクシミリ装置の送信機能を利用して画像情報を送信すること、または、複写機の機能を利用して記録紙に印字することができる。
【００２６】
【発明の効果】
本発明の装置は、前述したように構成したものであるから、湾曲した用紙搬送路に配置される前記大径搬送ローラのうちの主搬送ローラを、巾の狭いローラ部材を複数駆動軸に対して併設して１つのユニットとして形成し、前記主搬送ローラと同じ巾のピンチローラを、前記主搬送ローラに対向させて配置しているので、前記主搬送ローラと対向するピンチローラとを分割したことにより、用紙にしわ等が発生することを防止しながら搬送することができる。また、前記ピンチローラは樹脂成型品であることから、ピンチローラを分割して小幅のものとすることにより、巾の広いローラを構成する場合のように、鼓状や太鼓状となることを防止でき、搬送作用を良好に発揮できる。さらに、前記主搬送ローラのローラ部材の間には、前記筒状ガイドと一体で、用紙ガイド用のリブを突入させて配置するので、用紙の案内を確実に行い得るとともに、補助部品の点数が増加することがない。
【図面の簡単な説明】
【図１】  本発明の構成を適用可能な用紙搬送装置の構造の説明図である。
【図２】  筒状ガイドと大径搬送ローラのローラとの関係を示す平面図である。
【図３】  大径搬送ローラとピンチローラの構成を示す説明図である。
【図４】  筒状ガイドの側面図である。
【図５】  ガイド部材と連結軸の関係を示す説明図である。
【図６】  図１の装置を画像読取装置に組み合わせる例の説明図である。
【図７】  湾曲路に配置するローラ部材の構成を示す説明図である。
【符号の説明】
１    自動原稿搬送装置、  ２    基部フレーム、  ３    上部フレーム、
５    ピックアップローラ、  ９    ガイド板、
１０    用紙さばき装置、  １１    フィードローラ、
１２    リタードローラ、  １４    搬送路、  １５    搬送ローラ装置、
１６    ピンチローラ、  １７    駆動ローラ、  １８    軸、
１９    湾曲路、  ２０    大径搬送ローラ、  ２１    搬送ローラ、
２２    駆動軸、  ２３・２４    ピンチローラ、  ２５    排出路、
２６    排出ローラ装置、  ２９    プラテン、  ３０    中間フレーム、
３１    フレーム枠体、  ３５    上カバー、  ４０    ガイド部材、
４１    ガイドフィルム、  ４３    支持部材、  ５０    筒状ガイド、
５１    ガイド部材、  ５２    ローラ用スペース、  ５３    隙間、
５４・５５    リブ、  ５６    連結軸、  ５７    滑り止め部、
５８    固定用ブラケット、  ５９    軸支部材、  ６０    読取装置、
６２    プラテン、  ６４    フルレートキャリッジ、
６５    ハーフレートキャリッジ、６６    駆動プーリ、
６７    ワイヤ、  ６８    レンズ、  ６９    ＣＣＤ、
７１    原稿トレイ、  ７２    排出トレイ。
【図１】
0003972538.tif 000002
【図２】
0003972538.tif 000003
【図３】
0003972538.tif 000004
【図４】
0003972538.tif 000005
【図５】
0003972538.tif 000006
【図６】
0003972538.tif 000007
【図７】
0003972538.tif 000008